(57)【要約】      （修正有）【課題】コアのないラップロールを使用する場合において、使用後半のラップロールの折れ曲がりを回避でき、最後まで円滑に巻き解けて繰り出せる、ラップフィルム用収納箱を提供する。【解決手段】ラップフィルム用収納箱１０は、収納箱本体部１１と、蓋部１２と、垂下片部１３と、カッター１４と、更に、ラップロールＲを収容してからその上にラップフィルムＦをスリット１５ａに通した状態に載置するスリット付きの中蓋１５を有してなる。中蓋１５は、使用の最初から最後まで、ラップフィルムＦを全幅均等にラップロールＲから引き剥がすガイド機能を果たす。使用の後半では、ラップフィルムＦを箱外へ引出してカッター１４まで導く操作を行うと、巻径が小さく軽量になったラップロールＲが折れ曲がることなく中蓋１５を載置したまま浮き上がり、この際に、中蓋１５は、全幅にわたり均等にラップフィルムＦをラップロールＲから引き剥がすガイド機能を果たす。【選択図】図１
2009292508.tif 000002
【特許請求の範囲】
【請求項１】
ラップフィルムを巻回したラップロールを上部の開口より収納し得る収納箱本体部と、
前記収納箱本体部の一側縁に連接され前記開口を開閉する蓋部と、
前記蓋部の前端縁に連接され前記蓋部が開口を閉じるときに前記収納箱本体部の前壁部の外面に重なる垂下片部と、
適宜位置に設けられ前記ラップロールから箱外へ繰り出されるラップフィルムを切断するカッターと、
を有するラップフィルム用収納箱において、
前記収納箱本体部内には、前記ラップロールを収容してからその上に載置する中蓋を有し、該中蓋には、幅中央部に前記ラップロールから繰り出されるラップフィルムを通すスリットを備えている、
ことを特徴とするラップフィルム用収納箱。
【請求項２】
前記中蓋は、長手方向の一側外方から前記スリット内へ前記ラップロールから繰り出されるラップフィルムを通すための、前記スリットの一端と中蓋側端とを結ぶすり割りを備えている、
ことを特徴とする請求項１に記載のラップフィルム用収納箱。
【発明の詳細な説明】
【技術分野】
【０００１】
本発明は、食品等をラップ包装するラップフィルムを巻回したラップロールを収容するラップフィルム用収納箱に関する。
【背景技術】
【０００２】
一般に、従来のラップフィルム用収納箱は、収納箱本体部に収納したラップロールからラップフィルムを箱外へ所望の長さ繰り出し、収納箱本体部の外面と、蓋部又は蓋部より延在し収納箱本体部の前壁部外面に重なる垂下片部と、によりラップフィルムを押さえ、該ラップフィルムにテンションをかけつつカッターに当てることにより切断し得る機能を備えている。
【０００３】
特に、従来のラップフィルム用収納箱の前壁部に、ラップフィルムに全幅に均等な張力がかかりラップフィルムがラップロールからしわの発生や偏りの生じない状態で繰り出されるように機能するスリット又は同等のガイド手段を備えたものが提案されている（特許文献１、２参照）。
【０００４】
【特許文献１】特開２０００−２０３５６７号公報
【特許文献２】特開２００２−３２６６２７号公報
【発明の開示】
【発明が解決しようとする課題】
【０００５】
上記特許文献１、２に記載されたラップフィルム用収納箱によれば、コアのないラップロール（芯なしラップロール）を使用する場合は、ラップロールの巻径が小さく軽量になって折れ曲がり易くなる使用の最後の頃には、ラップフィルムを箱外へ引出してカッターまで導く操作を行うときの引出し力が、ラップロールの長さ中央に集中し、この引出し力が、コアのないラップロールに対して折り曲げ力として作用し、ラップロールに折れ曲がりが生じるとラップフィルムの巻き解き繰り出しが行われ難くなる、という問題がある。
【０００６】
本発明は、上記した事情にかんがみ案出されたものであり、その課題とするところは、コアのないラップロールを使用する場合において、使用の後半のラップロールが折れ曲がり易くなる段階においても折れ曲がりを回避でき、ラップフィルムを最後まで円滑に巻き解けて繰り出せる、ラップフィルム用収納箱を提供することにある。
【課題を解決するための手段】
【０００７】
上記課題を解決するために、本発明の包装用ラップフィルム用収納箱は、ラップフィルムを巻回したラップロールを上部の開口より収納し得る収納箱本体部と、前記収納箱本体部の一側縁に連接され前記開口を開閉する蓋部と、前記蓋部の前端縁に連接され前記蓋部が開口を閉じるときに前記収納箱本体部の前壁部の外面に重なる垂下片部と、適宜位置に設けられ前記ラップロールから箱外へ繰り出されるラップフィルムを切断するカッターと、を有するラップフィルム用収納箱において、前記収納箱本体部内には、前記ラップロールを収容してからその上に載置する中蓋を有し、該中蓋には、幅中央部に前記ラップロールから繰り出されるラップフィルムを通すスリットを備えている、ことを特徴とする。
【０００８】
上記構成の包装用ラップフィルム用収納箱によれば、蓋部を開けて初めてラップフィルムを使用する際に、既に、ラップロールから繰り出されるラップフィルムを全幅にわたりラップロールから?がし中蓋のスリットに通した状態にセットできる。このため、使用の初めからラップフィルムを箱外へ引出してカッターまで導く操作が容易であり、フィルムの全幅にわたり均等に引出すことができる。また、使用の最初から最後まで、ラップロールから繰り出されるラップフィルムを全幅均等にラップロールから引き剥がすガイド機能を果たす。特に、使用の後半では、ラップフィルムを箱外へ引出してカッターまで導く操作を行うと、巻径が小さく軽量になったラップロールの長さ中央に力が集中する。この力は、コアのないラップロールに対しては折り曲げ力として作用するが、ラップフィルムが中蓋のスリットに通されているので、力がラップフィルムの全幅に分散し、巻径が小さく軽量になったラップロールが折れ曲がるように作用することがなく、中蓋を載置したまま浮き上がり、この際に張力を全幅にわたり均等にラップフィルムを全幅にわたりラップロールから引き剥がすガイド機能を果たす。
【０００９】
上記構成のラップフィルム用収納箱において、前記中蓋は、長手方向の一側外方から前記スリット内へ前記ラップロールから繰り出されるラップフィルムを通すための、前記スリットの一端と中蓋側端とを結ぶすり割りを備えていることが望ましい。この構成によれば、中蓋のスリット内へラップロールから繰り出されるラップフィルムを通し作業が簡単に短時間で行えるから、量産性に適する。また、使用時、フィルムの引出しの途中で不意に切れてしまい、フィルム端縁が中蓋のスリットを通り抜けてしまった場合でも、中蓋にすり割りがあることにより、フィルム端縁を中蓋のスリットに通して使用可能な状態に復旧させることが迅速容易に行える。
【発明の効果】
【００１０】
本発明のラップフィルム用収納箱によれば、ラップフィルムを通すスリットを有する中蓋を備えたことにより、ラップフィルムを箱外へ所望長さ引出してカッターまで導く操作を行うときに、ラップフィルムの全幅に均等な張力がかかり、ラップフィルムがラップロールからしわの発生や偏りが生じない状態で繰り出されるガイド機能を備え、更に、コアのないラップロールを使用する場合において、ラップロールが折れ曲がり易くなる使用の後半においても、ラップフィルムを箱外へ引出してカッターまで導く操作を行うときの引出し力をフィルムの全幅に平均化して伝わるようにして、コアのないラップロールの折れ曲がりを回避でき、ラップフィルムを最後まで円滑に巻き解けて繰り出せる、という優れた効果を有する。
【発明を実施するための最良の形態】
【００１１】
以下に、本発明の実施の形態に係るラップフィルム用収納箱について図面を参照して説明する。
〔第１の実施の形態〕
まず、図１及び図２に示すように、ラップフィルム用収納箱１０は、収納箱本体部１１と、蓋部１２と、垂下片部１３と、カッター１４と、を有し、更に、収納箱本体部１１内には、ラップロールＲを収容してからその上にラップフィルムＦをスリット１５ａに通した状態に載置するスリット付きの中蓋１５Ａを有してなる。
【００１２】
収納箱本体部１１と蓋部１２と垂下片部１３は、例えばコートボール紙（５５０ｇ／ｍ2 ）等の紙材を用いて所要展開形状にプレスにより打ち抜き形成され、該所要展開形状の板紙を折り曲げかつ必要に応じて接着剤を用いて横長の略角柱密閉空間を形成するように設けられている。中蓋１５Ａは、上記と同様に、紙材を用いてプレスにより打ち抜き形成される。
【００１３】
収納箱本体部１１は、底壁部と前壁部と後壁部と左右の側壁部とを含み、ラップフィルムＦを巻回したラップロールＲを上部の開口より収納し得る部分である。蓋部１２は、収納箱本体部１１の一側縁（底壁部上縁）に連接され開口を開閉する。垂下片部１３は、蓋部１２の前端縁に連接され蓋部１２が開口を閉じるときに収納箱本体部１１の前壁部１１ａの外面に重なる。左右の側壁部には、ラップロールＲの端面開口に入り込んで該ラップロールＲの浮き上がり等の動きを制限する規制片１６を備えている。この規制片１６は、ミシン目カット線と薄肉となるようにプレスされた折り線とで囲繞された舌状部分であり、ユーザーが、該舌状部分を指で押圧してミシン目カット線を切断しラップロールＲの端面開口に入り込ませるものである。
【００１４】
カッター１４は、適宜位置に設けられラップロールＲから箱外へ繰り出されるラップフィルムＦを切断する。ここでは、カッター１４は、金属薄板、プラスチック板、或いは板紙をプレス打ち抜きしてなるか、又はプラスチック成形してなり、収納箱本体部１１の底壁部下面前縁に設けられ、波状三角刃（刃先）を前方へ突出している。
【００１５】
中蓋１５Ａは、幅中央部にラップロールＲから繰り出されるラップフィルムＦを通すスリット１５ａを備え、更に、長手方向の一側外方から前記スリット１５ａ内へ前記ラップロールＲから繰り出されるラップフィルムＦを通すための、スリット１５ａの一端と中蓋側端とを結ぶすり割り１５ｂを備えている。
【００１６】
上記構成の包装用ラップフィルム用収納箱によれば、蓋部１２を開けて初めてラップフィルムを使用する際に、既に、ラップロールＲから繰り出されるラップフィルムＦを全幅にわたりラップロールＲから?がし中蓋１５のスリット１５ａに通した状態にセットできるから、使用の初めからラップフィルムＦを箱外へ引出してカッター１４まで導く操作が容易であり、フィルムの全幅にわたり均等に引出すことができる。
【００１７】
メーカーが、ラップフィルムＦを中蓋１５Ａのスリット１５ａに通した状態にセットする場合、中蓋１５が収納箱と分離したものであるからハンドリング性が良く、更に、スリット１５ａの一端にすり割り１５ｂがあるので、ラップフィルムＦをスリット１５ａに通すことが容易にできる。上記ラップフィルム用収納箱１０は、ラップロールＲを使いきった時に新しいラップロールを交換使用する場合にも適用され、この場合、消費者でもラップフィルムＦをスリット１５ａに通すことが容易にできる。
【００１８】
そして、中蓋１５Ａは、使用の最初から最後まで、ラップロールＲから繰り出されるラップフィルムＦを全幅均等にラップロールＲから引き剥がすガイド機能を果たす。特に、使用の後半では、ラップフィルムＦを箱外へ引出してカッター１４まで導く操作を行うと、巻径が小さく軽量になったラップロールＲの長さ中央に力が集中する。この力は、コアのないラップロールＲに対しては折り曲げ力として作用するが、ラップフィルムＦが中蓋１５のスリット１５ａに通されているので、巻径が小さく軽量になったラップロールＲが折れ曲がることなく中蓋１５Ａを載置したまま浮き上がり、この際に、中蓋１５Ａは、張力を全幅にわたり均等にラップフィルムＦをラップロールＲから引き剥がすガイド機能を果たす。
【００１９】
〔その他の実施の形態〕
本発明は上記第１の実施の形態に限定されるものでなく、特許請求の範囲に記載された発明の要旨を逸脱しない範囲内での種々、設計変更した形態を技術的範囲に含むものである。
【００２０】
図４、図５は、上記第１の実施の形態とは相違している２種類の中蓋１５Ｂ，１５Ｃを示している。スリット１５ａとすり割り１５ｂがあることについては、上記図３に示す中蓋１５Ａと同一である。
【００２１】
上記ラップフィルム用収納箱１０は、コートボール紙等のような紙材から構成したが、本発明の収納箱は、上記収納箱と同様な構造のものを、適度な肉厚を有する硬質合成樹脂板、例えば、厚さ０．２mm〜２．０mm程度のＰＥ，ＰＰ等の合成樹脂板を用いて構成してもよい。上記ラップフィルム用収納箱１０は、コアにラップフィルムを巻回してなるラップロールを収容する場合にも適用される。
【図面の簡単な説明】
【００２２】
【図１】本発明の第１の実施の形態に係るラップフィルム用収納箱の斜視図である。
【図２】図１のラップフィルム用収納箱の使用状態を示す縦断面図である。
【図３】図１のラップフィルム用収納箱の中蓋の斜視図である。
【図４】他の実施の形態に係る中蓋の斜視図である。
【図５】他の実施の形態に係る中蓋の斜視図である。
【符号の説明】
【００２３】
１０  ラップフィルム用収納箱
１１  収納箱本体部
１２  蓋部
１３  垂下片部
１４  カッター
１５Ａ，１５Ｂ，１５Ｃ  中蓋
１５ａ  スリット
１５ｂ  すり割り
Ｒ  ラップロール
Ｆ  ラップフィルム
【図１】
2009292508.tif 000003
【図２】
2009292508.tif 000004
【図３】
2009292508.tif 000005
【図４】
2009292508.tif 000006
【図５】
2009292508.tif 000007